(57)【要約】【課題】  単純な構成であり、廉価で容易に製造でき、大量の収納物を処理でき、かつ確実な散乱防止効果の得られる散乱防止具であって、簡便な堆肥用発酵装置としての活用や、対災害時用備蓄土嚢置き場の目隠しとして有効な、多用途、多機能な散乱防止具を供すること。【解決手段】  布状体によって上部に開口する筒状体を構成し、その胴部に、当該布状体の部分的な形状を維持するための形状維持手段を配するか、形状維持手段を取り付け可能にするための掛着手段を設ける。【選択図】図７
2014218364.tif 000002
【特許請求の範囲】
【請求項１】
布や網やシートである布状体によって構成された上部に開口する筒状体の胴部に、当該布状体の部分的な形状の維持を可能にするための形状維持手段を配するか、当該形状維持手段を取り付け可能にするための掛着手段を有することを特徴とする散乱防止具。
【請求項２】
前記形状維持手段が、筒状体の胴部に接合された当該筒状体を構成する素材の一定面積を、平面状に維持するための枠体であることを特徴とする請求項１に記載された散乱防止具。
【請求項３】
前記形状維持手段が、筒状体の胴部周囲に配された当該筒状体の胴部周囲の一部を、外側に向かって押し広げた形状に維持するための枠体であることを特徴とする請求項１に記載された散乱防止具。
【請求項４】
前記、形状維持手段が棒状体であって前記筒状体に横方向、又は斜め方向、又はその双方を組み合わせて接合され、前記筒状体内部に収納物を収納した際に、前記筒状体の胴部が円筒状に変形することを抑制する構成であることを特徴とする請求項１に記載された散乱防止具。
【請求項５】
前記形状維持手段が、開口部付近に接合された棒状体であって、前記筒状体の前面部上端と背面部上端付近にそれぞれ配され、当該２本の棒状体を寄せ合わせることで、当該筒状体の開口部を閉鎖する構成であることを特徴とする請求項１に記載された散乱防止具。
【請求項６】
前記形状維持手段が、筒状体の側部両端を重りや杭に結びつけることで胴部が円筒状に変形することを抑制する構成であり、当該筒状体側部両端に当該杭や重りへの掛着を可能とする掛着手段を有することを特徴とする請求項１に記載された散乱防止具。
【請求項７】
前記筒状体が上下に開口する筒であって、一定の重量を有する形状維持手段を有し、その取り付け位置が、前記筒状体の下端よりも上部に位置し、当該筒状体を平地に置いた場合に、当該筒状体に加重する一定の重量を有する形状維持手段の取り付け位置と当該筒状体の下端との間にたわみが生じる構成であることを特徴とする請求項１、又は請求項２、又は請求項３、又は請求項４、又は請求項５、又は請求項６のいずれかに記載された散乱防止具。
【請求項８】
前記筒状体が上下に開口する筒であって、当該筒状体の下部に、当該筒状体の下端から上に向かう切れ込みを有し、当該切れ込みによって舌状体と化した当該筒状下部が当該筒状体の外側、又は内側に曲折する構成であることを特徴とする請求項１、又は請求項２、又は請求項３、又は請求項４、又は請求項５、又は請求項６、又は請求項７のいずれかに記載された散乱防止具。
【請求項９】
前記筒状体の内部に当該筒状体の前面と背面とをつなぐ連結部を設け、当該連結部が当該筒状体の前面部と背面部との距離を保つことで、胴部が大きな円筒状に膨らむことを抑制する構成である請求項１に記載された散乱防止具。
【請求項１０】
前記筒状体の下端に、当該筒状体の下端を当該筒状体内部に向かってすぼめるための絞り込み手段を配した請求項１、又は請求項２、又は請求項３、又は請求項４、又は請求項５、又は請求項６、又は請求項７、又は請求項８、又は請求項９のいずれかに記載された散乱防止具。
【発明の詳細な説明】
【技術分野】
【０００１】  本発明は、収納物である落ち葉や小枝などの軽量物が風によって散乱することを防ぎ、かつ、収納された当該落ち葉や小枝などを発酵させて堆肥にするための発酵装置としての機能を有する散乱防止具であって、生ゴミ等のカラスや猫など小動物にとっての食物となり得るものを収納した場合には、当該小動物による当該収納物の食い散らし散乱被害を防ぐことができる散乱防止具であり、また、災害時用の土嚢等を集積したものの散乱を防ぐとともに、その目隠しとしても使用できる多用途、多機能な散乱防止具に関する。
【背景技術】
【０００２】  従来、家庭から出る生ゴミの堆肥化のためにはバケツを伏せたようなバケツ型蓋付き容器が用いられ、当該生ゴミの発酵による堆肥化によってゴミの焼却量を減少させ、地球の環境悪化の防止に貢献してきた。しかし、庭の草や垣根を刈り取った小枝類等、かさばる生ゴミが大量に出た場合には、処理しきれずに焼却に回されることが多くみられた。このバケツ型発酵装置は発酵装置としては比較的廉価な方であるが、多数用意すると経済的負担が大きくなる。簡便、廉価な装置により生ゴミや小枝のたぐいを集めて散乱することを防ぎ、そのまま堆肥化できる装置が望まれる。普及のためには廉価に製造できることも重要で、そのためには量産につながる、多用途であることが望ましく、上記課題に応える多用途で多機能な散乱防止具が望まれる。【０００３】  鳥や猫による生ゴミの食い散らし散乱被害が問題視されて久しく、以来、様々な鳥よけネット、（生ゴミ用散乱防止具）が開発されてきたが、それらは、未だ十分には普及していない。その原因としては、それまでの生ゴミに覆いかけて使用されてきた風呂敷型ネットと比べると、構成が複雑となり、値段が高くなることが挙げられる。そこで、出来る限り構成を単純なものにし、製造過程における工程数が少ないものであって、鳥や猫などの小動物による食い散らし散乱、並びに強風等による軽量物の散乱を確実に防止できる、前記機能を備えた多用途で多機能な散乱防止具が望まれる。【０００４】  近年、自然災害による様々な被害が多発する傾向にあり、土嚢を市街地に多数配備することが求められている。しかし、保管場所の確保が難しく、必要な場所に必要な数を確保しておくことが難しい。又、土嚢を積み上げた状態は美的とはいえず、商店街や美観を気にする地域では設置が難しいという現実がある。美観を損なわないようにするため、目隠しとしての囲いを設置しようとすると、土嚢の入手に必要な金額は廉価なものであるのに対し、囲いに多くの費用が必要となり、十分な備えができないという問題が発生する。土嚢を一カ所に積み上げてその散乱を防ぎ、目隠しとしての機能を有する廉価に製造できる前記機能を備えた多用途で多機能な散乱防止具が望まれる。【０００５】  実用新案登録第３０６９６１７号に「柔軟な材質のネットを筒状に縫合し、得られる筒状本体の開口した一方を上部にしてゴミ投入口とし、開口した他方を下部にしてゴミ収集口とし、前記ゴミ投入口の周縁部のほぼ全周にわたってロープ体を取り付け、また、前記周縁部に吊り具を取り付けたことを特徴とする防鳥ネット」の例が記載されてる。この考案によれば、ゴミ投入口の周縁部にロープ体を取り付ける必要があり、かつ吊り具を設けて吊り下げる必要がある。吊り下げるためには吊り紐を支持するための塀や杭、あるいは木の枝などが必要となり、設置の場所が限定される。設置場所の条件を選ばず、平地に設置できる簡便な散乱防止具が求められる。【０００６】  特許第４４５０４３２号に「不透明で柔軟なシート素材を用いて上下が開口した円筒状に構成され、下部の開口部に錘となる鎖等を内包して縫合又は接着又は融着した折り返し部を設け、上部の開口部は相対する２点を中央部で接してＨ型に重ね合わせ（中央部は外側同士の２枚��ね、中央部以外は４枚重ね）縫合又は接着又は融着することで、上部を持ち上げると錘となる鎖等を内包した下部の相対する２点が重力作用で内側に引き込まれて上部に倣うＨ型を形成するようにしたゴミ袋カバー。」の例が記載されている。当該発明は筒状体の上部が閉じられていているため、集団で使用する場合、ゴミ袋等の収納物を覆うためには当該カバーをめくりあげて中に入れる必要があり、上部を開口して容易に収納物を出し入れし易い散乱防止具が求められる。【０００７】  特許第３６７０６５６号に「廃棄物等をまとめてこれを覆うことのできる網や布である布状体によって構成された前記廃棄物等を投入するための投入口を設けてある覆いであって、該覆いの周縁部か立体に構成された覆いの下部開口部に絞り込み手段を設けてしぼりこみ、投入口から投入した投入物を覆いの裾上に載るようにすることで鳥獣の侵入を防ぐと共に収集物の散乱防止効果を確実にすることを特徴とする構成の散乱防止用覆い。」の例が記載されており、その絞り込み手段として、覆いの周縁部を棒に締着した例が実施例３図４として記載されている。投入物を覆いの裾上に載るようにするために設けるのではなく、筒状体の変形を部分的に抑制することで筒状体が円筒状に広がることを防ぎ、上部に開口する布状体の筒を狭い場所でも使用でき、製造が容易であり、かつ、投入物の出し入れが容易である散乱防止具の開発が求められる。
【先行技術文献】
【特許文献】
【０００８】
【特許文献１】  実用新案登録第３０６９６１７号
【特許文献２】  特許第４４５０４３２号
【特許文献３】  特許第３６７０６５６号
【発明の概要】
【発明が解決しようとする課題】
【０００９】  単純な構成であり、廉価で容易に製造でき、設置場所を選ばず、大量の集積物を処理でき、かつ確実な散乱防止効果の得られる散乱防止具であって、簡便な発酵装置としての活用や、災害時に備えての土嚢置き場の目隠し等として有効な他用途、多機能な散乱防止具を供すること。
【課題を解決するための手段】
【００１０】  布や網やシートである布状体によって構成された上部に開口する筒状体の胴部に、当該布状体の部分的な形状の維持を可能にするための形状維持手段を配するか、当該形状維持手段を取り付け可能にするための掛着手段を有することを特徴とする散乱防止具を供する。【００１１】  前記形状維持手段が、筒状体の胴部に接合された当該筒状体を構成する素材の一定面積を、平面状に維持するための枠体であることを特徴とする散乱防止具を供する。【００１２】  前記形状維持手段が、筒状体の胴部周囲に配された当該筒状体の胴部周囲の一部を、外側に向かって押し広げた形状に維持するための枠体であることを特徴とする散乱防止具を供する。【００１３】  前記形状維持手段が棒状体であって、前記筒状体に横方向、又は斜め方向、又はその双方を組み合わせて接合され、前記筒状体内部に収納物を収納した際に、前記筒状体の胴部が円筒状に変形することを抑制する構成であることを特徴とする散乱防止具を供する。【００１４】  前記形状維持手段が、開口部付近に接合された棒状体であって、前記筒状体の前面部上端と背面部上端付近にそれぞれ配され、当該２本の棒状体を寄せ合わせることで、当該筒状体の開口部を閉鎖する構成であることを特徴とする散乱防止具を供する。【００１５】  前記形状維持手段が、筒状体の側部両端を重りや抗に結びつけることで胴部が円筒状に変形することを抑制する構成であり、当該筒状体側部両端に当該杭や重りへの掛着を可能とする掛着手段を有することを特徴とする散乱防止具を供する。【００１６】  前記筒状体が上下に開口する筒であって、一定の重量を有する形状維持手段を有し、その取り付け位置が、前記筒状体の下端よりも上部に位置し、当該筒状体を平地に置いた場合に、当該筒状体に加重する一定の重量を有する形状維持手段の取り付け位置と当該筒状体の下端との間にたわみが生じる構成であることを特徴とする散乱防止具を供する。【００１７】  前記筒状体が上下に開口する筒であって、当該筒状体の下部に、当該筒状体の下端から上に向かう切れ込みを有し、当該切れ込みによって舌状体と化した当該筒状下部が当該筒状体の外側、又は内側に曲折する構成であることを特徴とする散乱防止具を供する。【００１８】  前記筒状体の内部に当該筒状体の前面と背面とをつなぐ連結部を設け、当該連結部が当該筒状体の前面部と背面部との距離を保つことで、胴部が大きな円筒状に膨らむことを抑制する構成である散乱防止具を供する。【００１９】  前記筒状体の下端に当該筒状体の下端を当該筒状体内部に向かってすぼめるための絞り込み手段を配した散乱防止具を供する。
【発明の効果】
【００２０】  布や網やシートである布状体によって構成された上部に開口する筒状体の胴部に、当該布状体の部分的な形状の維持を可能にするための形状維持手段を配するか、当該形状維持手段を取り付け可能にするための掛着手段を有することを特徴とする散乱防止具であるため次の効果を奏する。【００２１】  布状体を筒状に成形して散乱防止具とした場合に、柔軟な素材であるため形状が安定しにくい。部分的にその形状を固定化して維持させれば、当該筒状体が大きく変形することを抑制できる。そのことにより、複雑な支持部材を用いずに、収納力が高く、使い勝手のよい散乱防止具が廉価に製造できる。また、当該形状維持手段は部分的な構成物であるため、当該筒状体本体の収納に当たって、小さく折りたたむことができ、邪魔にならず収納がし易くなる。また、構成が単純になることか廉価に製造できる。形状維持手段があるので見た目がすっきりとして目隠し効果が高まり、土嚢などを積み上げた際のカバーとしてどこにでも配置でき、景観を損ねない。発酵装置として使用した場合には大がかりな設備を用いずに、廉価に大量の堆肥を生産できる。【００２２】  前記形状維持手段が、筒状体の胴部に接合された当該筒状体を構成する素材の一定面積を、平面状に維持するための枠体であることを特徴とする散乱防止具であるため次の効果を奏する。【００２３】  枠材を筒状体胴部に接合するという簡便な方法で、筒状体の変形を抑制して筒状体の形状を箱形に近い形状に保つことができ、散乱防止具としての使い勝手をよくする。【００２４】  前記形状維持手段が、筒状体の胴部周囲に配された当該筒状体の胴部周囲の一部を、外側に向かって押し広げた形状に維持するための枠体であることを特徴とする散乱防止具であるため次の効果を奏する。【００２５】  簡単な構成でありながら、内部に収納物を入れた場合に筒状体の形状を枠体と似た形状に保つことができる。【００２６】  前記形状維持手段が棒状体であって、前記筒状体に横方向、又は斜め方向、又はその双方を組み合わせて接合され、前記筒状体内部に収納物を収納した際に、前記筒状体の胴部が円筒状に変形することを抑制する構成であることを特徴とする散乱防止具であるため次の効果を奏する。【００２７】  当該筒状体が横に細長く構成され、道路沿いに置かれるような場合、当該筒状体が膨らんで円筒状に変形することを抑制する。又、開口部付近に配された場合には開口部の端部を直線的な形状のものとして、筒状体の開口部の開け閉めがし易くなる。【００２８】  前記形状維持手段が、開口部付近に接合された棒状体であって、前記筒状体の前面部上端と背面部上端付近にそれぞれ配され、当該２本の棒状体を寄せ合わせることで、当該筒状体の開口部を閉鎖する構成であることを特徴とする散乱防止具であるため次の効果を奏する。【００２９】  前記筒状体開口部を開け閉めする操作が前記棒状体の動きに倣うため、開け閉めの操作がし易く、前記、２本の棒状体を掛着し合うことで閉鎖状態を確実に維持することができる。【００３０】  前記形状維持手段が、筒状体の側部両端を重りや杭に結びつけることで胴部が円筒状に変形することを抑制する構成であり、当該筒状体側部両端に当該杭や重りへの掛着を可能��する掛着手段を有することを特徴とする散乱防止具であるため次の効果を奏する。【００３１】  筒状体本体が硬度の高い素材を有さないため、小さく折りたたむことが容易で当該筒状体本体の収納に有益である。【００３２】  前記、筒状体が上下に開口する筒であって、一定の重量を有する形状維持手段を有し、その取り付け位置が、前記筒状体の下端よりも上部に位置し、当該筒状体を平地に置いた場合に、当該筒状体に加重する一定の重量を有する形状維持手段の取り付け位置と、当該筒状体の下端との間に、たわみが生じる構成であることを特徴とする散乱防止具あるため次の効果を奏する。【００３３】  前記筒状体の下端が置かれた路面に密着しやすくなるとともに、当該下端をカラスなどの小動物がくわえて持ち上げるか押しのけようとした際に当該筒状体の下端の長さにゆとりがあるため、当該小動物が内部へ侵入することを阻止できる。【００３４】  前記筒状体が上下に開口する筒であって、当該筒状体の下部に、当該筒状体の下端から上に向かう切れ込みを有し、当該切れ込みによって舌状体と化した当該筒状下部が当該筒状体の外側、又は内側に曲折する構成であることを特徴とする散乱防止具であるため次の効果を奏する。【００３５】  前記舌状体が前記筒状体の内側に折れ曲がった場合には、当該舌状体上に収納物が載って筒状体下端部を押さえつけ、少動物が侵入することを防ぐ。また、前記収納物が重りとなって風の影響を防ぎ、又、当該筒状体の胴部が外側に向かって膨らむことを抑える。また、当該舌状体が外側に折れ曲がった場合には、この端部をカラスがくわえ持ち上げて進入路を作ることを防ぐ。又、発酵用具として使用した場合には、前記舌状体を内側に曲げると木の小枝などを直接投入しても当該筒状体下端部と地面との間に隙間ができにくく、枝が外にはみ出すことが無くなり、使い勝手が向上する。【００３６】  前記筒状体の内部に当該筒状体の前面と背面とをつなぐ連結部を設け、当該連結部が当該筒状体の前面部と背面部との距離を保つことで、胴部が大きな円筒状に膨らむことを抑制する構成である散乱防止具であるため次の効果を奏する。【００３７】  当該筒状体の前面と背面とをつなぐ連結部を設けることで、当該前面部と背面部との距離を保ち、当該筒状体の胴部が膨らんで大きな円筒状に変形することを防ぐ。前記連結部が布状体等の柔軟素材によって構成された場合、折りたたみが当該連結部の存在によって制約されること無く、容易に小さく折りたたむことができ、当該散乱防止具の収納に好都合である。【００３８】  前記筒状体の下端に当該筒状体の下端を当該筒状体内部に向かってすぼめるための絞り込み手段を配した散乱防止具であるため次の効果を奏する。【００３９】  当該筒状体の下端を当該筒状体内部に向かってすぼめるため、当該筒状体内部に収納物を収納した際に、すぼめられて筒状体の内側に曲折した筒状体下端部の上に当該収納物が載って、筒状体下端部を自重で押さえ込むため、筒状体の形状を規定し、当該筒状体が風に飛ばされることを防ぐとともに、当該筒状体内部に向かって侵入しようとする小動物の侵入を阻止する。
【図面の簡単な説明】
【００４０】
【図１】実施例１の斜視図である。
【図２】実施例２の斜視図である。
【図３】実施例３の斜視図である。
【図４】実施例４の斜視図である。
【図５】実施例５の斜視図である。
【図６】実施例６の斜視図である。
【図７】実施例７の斜視図である。
【図８】実施例８の斜視図である。
【図９】実施例９の斜視図である。
【図１０】実施例１０の斜視図である。
【図１１】実施例１１の斜視図である。
【図１２】実施例１２の斜視図である。
【図１３】実施例１３の斜視図である。
【発明を実施するための形態】
【００４１】  以下、図に基づいて実施の形態について説明する。なお本文中に於ける布状体とは網、布、シートなど、柔軟で略平面に形成された素材を指し、筒状体が構成可能であって一定の柔軟性を有するものであれば、ある程度の硬度と厚みを有するものも含めるものとする。また、筒状体とは、壁面が連続して一周し、内部に区間を形成した形状であり、特にことわりがない場合には断面の形状を問わず、又、底面の有無を問わないものとする。又、筒状体の下部とは筒状体を上下に２分したときの下半分を意味し、下部に何かを設けるといった場合、それぞれの実施の状況に応じて具体的な位置は変動するものとする。
【実施例１】
【００４２】  図１は実施例１における、筒状体１の構成を示す斜視図である。当該筒状体１は上部に開口部２である上部開口部２１を有し、筒状体胴部１１に当該筒状体胴部１１の一定部分の形状を規定して維持するための、形状維持手段３であるＸ型をした板状体３１を接合したものである。筒状体１の筒状体前面１１１と筒状体背面１１２に板状体３１を設けることで、当該筒状体１は、前記筒状体胴部１１における筒状体前面１１１と筒状体背面１１２に平面的な部分が生じる。当該形状維持手段３が存在しない場合には、当該筒状体１の内部にゴミなどの収納物を入れると当該筒状体胴部１１は円筒状に膨らもうとする。当該筒状体に当該形状維持手段３を設けることで、当該筒状体は薄い箱型に似た形状にすることが可能である。当該形状維持手段３を設けた筒状体を、ゴミ回収のための集積所として路地などの狭い場所に設置した場合、胴部が膨らんで通行の妨げになることを防ぐことができる。【００４３】  図２は実施例２における、筒状体１の構成を示す斜視図である。筒状体１を上部開口部２１（２）と底部１５を有するものとする。実施例１のごとくに、板状体、又は、棒状体等、筒状体胴部１１を部分的に、その形状を維持するための形状維持手段３を取り付けるため、掛着手段４としての掛着用紐４１を、筒状体胴部１１における筒状体前面１１１と筒状体背面１１２にそれぞれ設けたものである。当該掛着手段４はベルトや平面ファスナー（商品名マジックテープ）など、筒状体１の部分的な形状維持に有効な物体を取り付け可能なもであればその品種、形状を問わない。【００４４】  本図では形状維持手段３である棒状体３２を前記掛着用紐４１で筒状体胴部１１（１）に締着して使用する。上段の掛着用紐４１１（４１）と下段の掛着用紐４１２（４１）にそれぞれ棒状体３２を締着すれば、筒状体胴部１１は部分的に直線的な形状を維持するため、当該筒状体胴部１１が大きく円筒状に膨らむことを抑制する。実施例１同様に路地などの狭い場所に当該筒状体１をゴミ集積所として設置した場合、上部開口部２１（２）より収納物としてゴミ袋等を投入しても胴部が膨らんで通行の妨げになることを防ぐことができる。筒状体１の胴部に棒状体３２を平行して取り付けたものとなるため、当該棒状体３２を芯にして当該筒状体１を巻き取ることができ、当該筒状体１本体の収納や移動に便利である。【００４５】  図３は実施例３における、筒状体１の構成を示す斜視図である。当該筒状体１は上部開口部２１（２）を有し、筒状体胴部１１に形状維持手段３である硬質の枠状体３３を接合したものである。筒状体１の筒状体前面１１１と筒状体背面１１２に部分的な形状維持手段３としてを枠状体３３を設けることで、当該筒状体前面１１１と筒状体背面１１２に平面的な部分が生じる。筒状体１内部に収納物５を収納した際に当該筒状体前面１１１と筒状体背面１１２の枠状体３３に囲まれた部分が平面状を成すため、当該筒状体１を俯瞰するとほぼ矩形を呈する。そのため、筒状体胴部１１が膨らんで円筒状に変形することを抑制して狭い路地などにも設置可能な散乱防止具となる。又、枠の下端部３３１（３３）が硬質であるため、カラスや猫などの小動物がこれを押しのけて侵入しよ���としても筒状体下端部１３が変形しないため、底部１５が無くても侵入できない。筒状体１の前面と背面及び両側面にそれぞれ、枠状体３３を設けた場合には一層確実な効果が得られる。【００４６】  図４は実施例４における、筒状体１の構成を示す斜視図である。筒状体胴部１１の周囲に枠状体３３を配し、当該筒状体１は外側に向かって押し広げるようにして、当該枠状体３３に接合する。このことにより、筒状体胴部１１は当該枠状体３３の取り付け位置に於ける切断面が当該枠状体３３とほぼ同様の形状を呈する。当該当該枠状体３３が筒状体１の変形を抑制して筒状体胴部１１が円筒状になることを抑える。その効果については実施例１と同様である。また、当該枠状体３３を筒状体上端部１３１近くに設けた場合、上部開口部２１（２）の形状が安定するため、蓋８を設けたときに上部開口部２１（２）と蓋８の形状にずれが生じにくくなり、蓋８の形成が可能となる。また、小枝や雑草の類の発酵装置として使用する場合には、筒状体下端部１３２に外から土をかけるか筒状体下端部１３２を土に埋め込むことで適度な湿度を保ち発酵を容易にするが、その際に土の重量で筒状体１が変形することを抑制する。発酵装置としての使用では、余分な水分を地中に逃がすために底部を設けずに下部開口部２２を設けることが望ましい。【００４７】  図５は実施例５における、筒状体１の構成を示す斜視図である。筒状体胴部１１には横方向に伸びる棒状体３２１（３２）又は斜め方向に伸びる棒状体３２２（３２）又はその双方が配され、棒状体３２が筒状体１を部分的にその形状を直線的に規定するため、当該筒状体１内部に収納物を入れた場合に、当該筒状体胴部１１が円筒状に変形することを抑制する。当該筒状体１が横に細長く構成され、道路沿いに置かれるような場合、当該筒状体１の胴部が膨らんで円筒状に変形することを抑制し、通行の妨げになることを防ぐ。棒状体３２をまとめて、その周りに筒状体１を巻き付けることで当該筒状体１本体の収納を容易にする。【００４８】  図６は実施例６における、筒状体１の構成を示す斜視図であって、筒状体１の実質下端部に横に伸びる棒状体３２１を配した例である。筒状体１に底部が存在しない場合に下部開口部２２の変形を抑制し、安定した形状に保つ上で有効である。本実施例では筒状体１の下端部が当該筒状体１の内側に折り曲げられ、当該折り曲げられた筒状体１の下端部の上に収納物５が載り、自重でこれを押さえつけた例が記載されている。横に伸びる棒状体３２１は筒状体１の実質下端に配され、筒状体前面上端１１１１と筒状体前面下端１１１２と平行して、又、筒状体背面上端１１２１と筒状体背面下端１１２２に平行して配される。筒状体１の内部に収納された収納物５は筒状体胴部１１を押し広げて当該筒状体１を円筒状に変形しようとするが、筒状体下端の横に伸びる棒状体３２１が直線的な形状を維持するため、当該筒状体１の変形は抑制され、筒状体の胴部１１が外に向かって大きく膨らむことが抑えられる。又、本実施例では底部を有さないため、筒状体１の上部を手で持ち、上に引き上げると下部開口部２２（２）が押し広げられて、収納物５のみがその場に残されるため、収納物５の回収に有効である。【００４９���  図７は実施例７における、筒状体１の構成を示す斜視図であって、横方向に伸びる棒状体３２１を筒状体前面上端１１１１と筒状体背面上端１１２１に沿って、それぞれ配した例を示している。当該横方向に伸びる棒状体３２１が筒状体前面上端１１１１と筒状体背面上端１１２１の形状を直線的なのものとして規定しているため、筒状体１の開口部２の開け閉めがし易くなる。筒状体前面上端１１１１に沿って配された棒状体３２１１（３２１）と筒状体背面上端１１２１に沿って配された棒状体３２１２（３２１）とを寄せ合わせることで開口部２を確実に閉鎖することができる。当該２本の棒状体３２１どうしを棒状体掛着手段３４であるゴム紐の輪３４１やフック３４２によって掛着し、開口部２の閉鎖状態を維持する。生ゴミなどを一時的に保管する底部１５を有する散乱防止具とした場合、開口部２が確実に閉鎖されるため、カラスや猫の侵入を確実に防ぐことができる。又、当該筒状体１が大きく円筒状に変形することを防ぐことができる。又、当該筒状体１本体を保管、収納するには横方向に伸びる棒状体３２１を芯にして筒状体胴部１１を巻き付けることで小さくまとめることができ、保管や移動に都合の良い散乱防止具が形成できる。【００５０】  図８は実施例８における、筒状体１の構成を示すものであって、実施例７におけるゴム紐の輪３４１やフック３４２を棒状体掛着手段３４である磁石３４３に置き換え、筒状体胴部１１に横方向に伸びる棒状体３２１を配したものである。当該磁石３４３どうしが引き合うことで筒状体前面上端１１１１に沿って配された棒状体３２１１（３２１）と筒状体背面上端１１２１に沿ってに配された棒状体３２１２（３２１）とを寄せ合わせ、開口部２を閉鎖する。当該磁石３４３は様々な掛着方法に置き換え可能である。例えば、横方向に伸びる棒状体３２１の両端に直径方向で水平方向の孔を開け、前後２本の横方向に伸びる棒状体３２１どうしをボルトで連結することや紐で結びつけることなどである。底部１５を有し、ボルトや鎖で横方向に伸びる棒状体３２１どうしを連結する場合には、鍵を用いることで収納物の保管に有効な散乱防止具となる。本実施例を、土嚢を積み上げたものの目隠しとして使用する場合、横方向に伸びる棒状体３２１によって筒状体の胴部１１は部分的に直線が形成されるため、当該筒状体の胴部１１から目障りな凹凸が消され、廉価に製造可能な散乱防止具でありながら美観を損ねないものとなる。【００５１】  図９は実施例９における、筒状体１の構成を示す斜視図であって、前記形状維持手段３が筒状体１の側部両端を重りや杭に結びつけることで、当該筒状体胴部１１が円筒状に変形することを抑制する構成であることについて説明したものである。本図では、当該筒状体胴部１１に重り６を掛着するための、重り掛着手段４２として重り取り付けリング４２１を形成する。重り６であるコンクリートブロック６１から伸びた重り取り付け紐６２の先端に重り取り付け用フック６３を設けて前記、重り取り付けリング４２１に掛着する。重り６は杭や電柱などに置き換えることが可能であり、筒状体１を左右に引っ張って帳設することで筒状体胴部１１が大きく円筒状に変形することを抑制する。また、当該重り６を���り付けることで、当該筒状体１が風で飛ばされるのを防ぐとともに、カラスなどの小動物が、当該筒状体１の下端部１３２をくわえて持ち上げたり、押しのけることを阻止して、当該筒状体１内部の収納物５を食い散らすことを防ぐ。【００５２】  図１０は実施例１０における、筒状体１の構成を示す斜視図であって、前記形状維持手段３を一定の重量を持つ形状維持手段３０とし、本図では横方向に伸びる棒状体３２１に一定の重量を持たせた例である。一定の重量を持つ形状維持手段３０が筒状体１の下部であって、筒状体下端部１３２よりも上に離れて位置し、当該筒状体１を平地に置いた場合に、当該筒状体１の一定の重量を持つ形状維持手段３０の取り付け位置と筒状体下端部１３２との間に筒状体のたわみ１０が生じる構成であることを示している。当該筒状体１が底部を有さない場合、筒状体のたわみ１０が生じることで、鳥等の小動物が筒状体の下端部１３２をクチバシでくわえ、持ち上げようとしても、筒状体のたわみ１０が引き延ばされるため、地面との間に隙間ができ難いことから侵入が不可能となる。【００５３】  図１１は実施例１１における、筒状体１の構成を示す斜視図である。当該筒状体１が上下に開口する筒であって、当該筒状体の下部に、筒状体下端部１３２から筒状体上端部１３１に向かう切れ込み１２を有し、当該切れ込み１２によって舌状体１４と化した当該筒状下部が当該筒状体１の外側、又は当該筒状体１の内側に曲折する構成の散乱防止具であることを示している。本図のごとく当該舌状体１４が筒状体１の外側に曲折し、内部に生ゴミなどの収納物を収納した場合には、カラス等が侵入しようとして、当該舌状体端部１４１をくわえて持ち上げたとしても当該舌状体１４のみが持ち上げられ、進入路が形成できない。【００５４】  当該舌状体１４を当該筒状体１の内側に曲折させた場合、この上にゴミ袋等の収納物が載ることで当該舌状体１４を地面に押さえつけ、カラスや猫などの侵入を防ぐ。又、本筒状体１を小枝や草などの発酵装置として使用する場合、当該舌状体１４を当該筒状体１の内側に曲折させると、当該小枝や草などをそのまま収納させた場合に、前記曲折後の実質的な筒状体下端部１０１と地面との間に隙間ができにくく、筒状体１から収納物がはみ出してしまうことがない。小枝や草の発酵装置として使用する場合には、通常、発酵素材を袋に詰め込むことはなく、当該発酵素材が地面に接するように収納することから、本実施例の構成は有効である。なお筒状体１の下部には一定の重量を持つ形状維持手段３０を配すことで、内部に収納物がない状態においても当該舌状体１４を地面に密着させ当該筒状体１の形状を安定させることから、当該筒状体１内部に収納物を入れた際に、筒状体裾部１６を当該収納物が確実に押さえ込む。【００５５】  図１２は実施例１２における、筒状体１の構成を示す斜視図であって、当該筒状体１の内部に筒状体前面１１１と筒状体背面１１２をつなぐ連結部３５を設けて当該連結部３５を形状維持手段３としたことを示している。当該連結部３５が当該筒状体１の筒状体前面１１１と筒状体背面１１２との距離を一定に保つことで、当該筒状体胴部１１が変形して大きく円筒状に膨らむことを抑制する。本実施例��は連結部３５を筒状体１と同質の布状体としているが、筒状体前面１１１と筒状体背面１１２をつなぐものであればその材質を問わない。当該連結部３５が本実施例のように布状体等の柔軟なものであれば当該筒状体１本体と一緒に小さくたたむことができるので当該筒状体１本体の収納に際し、邪魔にならず有益である。【００５６】  図１３は実施例１３における、筒状体１の構成を示す斜視図であって、当該筒状体１の下部に絞り込み手段７であるゴム紐７１を設けたことを示すものである。当該筒状体の下端部１３２近くにゴム紐７１を通すための孔７２を設ける。当該ゴム紐７１を筒状体の下端部１３２に沿って配し、当該ゴム紐７１の長さを調節することで当該筒状体下端部１３２は当該筒状体の内側にすぼめられて下部開口部２２を狭める。当該ゴム紐７１が単なる紐であっても引き締めて長さを調節できるのであれば同様の効果が得られる。内部に収納物を入れると当該収納物は当該筒状体下端部１３２の上に載り、自重で当該筒状体下端部１３２を地面に押さえつける。よって、当該筒状体１は風によって飛ばされることが無くなり、当該筒状体下端部１３２を持ち上げて侵入しようとする小動物の侵入を阻止する。当該筒状体１を持ち上げるとその場に、収納物のみが残るので、小枝などの雑然としたゴミ類を直接収納したような場合に、取り出しやすく、まとまった状体にできるので、後処理に有効である。なお筒状体１の下部には一定の重量を持つ形状維持手段３０を配すことで、内部に収納物がない状態においても当該筒状体下端部１３２付近を地面に密着させ当該筒状体１の形状を安定させることから、当該筒状体１内部に収納物を入れた際に、筒状体裾部１６を収納物が確実に押さえ込む。
【符号の説明】
【符号の説明】
【００５７】１  筒状体１
１０  筒状体のたわみ
１０１  実質的な筒状体下端部
１１  筒状体胴部
１１１  筒状体前面
１１１１  筒状体前面上端
１１１２  筒状体前面下端
１１２  筒状体背面
１１２１  筒状体背面上端
１１２２  筒状体背面下端
１２  切れ込み
１３  筒状体端部
１３１  筒状体上端部
１３２  筒状体下端部
１４  舌状体
１４１  舌状体の端部
１５  筒状体底部
１６  筒状対裾部
２  開口部
２１  上部開口部
２２  下部開口部
３  形状維持手段
３０  一定の重量を持つ形状維持手段
３１  板状体
３２  棒状体
３２１  横方向に伸びる棒状体
３２２  斜め方向に伸びる棒状体
３２１１  筒状体前面上端に配された棒状体
３２１２  筒状体背面上端に配された棒状体
３３  枠状体
３３１  枠の下端部
３４  棒状体掛着手段
３４１  ゴム紐の輪
３４２  フック
３４３  磁石
３５  連結部
４  形状維持手段を取り付けるための掛着手段
４１  掛着用紐
４１１  上段の掛着用紐
４１２  下段の掛着用紐
４２  重り掛着手段
４２１  重り取り付けリング
５  収納物
６  重り
６１  コンクリートブロック
６２  重り取り付け紐
６３  重り取り付け用フック
７  絞り込み手段
７１  ゴム紐
７２  孔
８  蓋
【図１】
2014218364.tif 000003
【図２】
2014218364.tif 000004
【図３】
2014218364.tif 000005
【図４】
2014218364.tif 000006
【図５】
2014218364.tif 000007
【図６】
2014218364.tif 000008
【図７】
2014218364.tif 000009
【図８】
2014218364.tif 000010
【図９】
2014218364.tif 000011
【図１０】
2014218364.tif 000012
【図１１】
2014218364.tif 000013
【図１２】
2014218364.tif 000014
【図１３】
2014218364.tif 000015